(57)【特許請求の範囲】
【請求項１】
回線交換（ＣＳ）呼及びインタ−ネットプロトコルマルチメディアサブシステム（ＩＭＳ）セッションを同時に使用可能な第１の端末とＶｏＩＰを使用可能な第２の端末との間の前記ＣＳ呼及び前記ＩＭＳサ−ビスを提供する方法であって、
音声通話関連部分及び他の部分を含む第１のメッセ−ジをＩＭＳドメインを介して受信するステップと、
前記音声通話関連部分を前記他の部分から分離するステップと、
前記音声通話関連部分を含む第２のメッセ−ジをＣＳドメインを介して前記第１の端末へ送信するステップと、
前記他の部分を含む第３のメッセ−ジをパケット交換（ＰＳ）ドメインを介して前記第１の端末へ送信するステップと、
前記音声通話関連部分に対する第１の応答メッセ−ジを前記ＣＳドメインを介して前記第１の端末から受信するステップと、
前記他の部分に対する第２の応答メッセ−ジを前記ＰＳドメインを介して前記第１の端末から受信するステップと、
前記音声通話関連部分及び前記他の部分に対する第３の応答メッセ−ジを前記第２の端末へ送信するステップと
を含むことを特徴とする方法。
【請求項２】
前記第１のメッセ−ジは、前記第１の端末に向かうセッション初期化プロトコル（ＳＩＰ）基盤メッセ−ジであることを特徴とする請求項１記載の方法。
【請求項３】
前記ＩＭＳドメインは、前記ＣＳ呼と前記ＩＭＳセッションとの結合されたサ−ビスを支援するためのＣＳＩ  ＡＳを含むことを特徴とする請求項１記載の方法。
【請求項４】
前記第１のメッセ−ジを受信するステップは、
前記第１の端末が登録された前記ＩＭＳドメインのＳ−ＣＳＣＦが前記第２の端末により発信された前記第１のメッセ−ジを受信するステップと、
前記Ｓ−ＣＳＣＦが前記第１のメッセ−ジを前記ＣＳＩ  ＡＳへ伝達するステップとを含むことを特徴とする請求項３記載の方法。
【請求項５】
前記音声通話関連部分を前記他の部分から分離するステップは、
前記第１のメッセ−ジが前記音声通話関連部分と前記他の部分とを含むか否かを確認するステップと、
前記音声通話関連部分を前記他の部分から分離するステップと、
前記音声通話関連部分に対する前記第２のメッセ−ジ及び前記他の部分に対する前記第３のメッセ−ジを生成するステップとを含むことを特徴とする請求項３記載の方法。
【請求項６】
前記第２のメッセ−ジを伝送するステップは、
前記第２のメッセ−ジを前記ＣＳＩ  ＡＳからメディアゲ−トウエイ制御部（ＭＧＣＦ）へ伝送するステップと、
前記ＭＧＣＦが前記第２のメッセ−ジをＩＳＵＰ  ＩＡＭに変更し、前記ＩＳＵＰ  ＩＡＭを前記ＣＳドメインを介して前記第１の端末へ伝送するステップとを含むことを特徴とする請求項３記載の方法。
【請求項７】
前記第３のメッセ−ジを伝送するステップは、
前記第３のメッセ−ジを前記Ｓ−ＣＳＣＦへ伝送するステップと、
前記第３のメッセ−ジを前記第１の端末へ伝達するステップとを含むことを特徴とする請求項３記載の方法。
【請求項８】
前記第１の応答メッセ−ジを受信するステップは、
メディアゲ−トウエイ制御部（ＭＧＣＦ）が前記第１の端末との接続を示すＩＳＵＰ  ＣＯＮメッセ−ジを前記ＣＳドメインを介して受信するステップと、
前記ＭＧＣＦが前記ＩＳＵＰ  ＣＯＮメッセ−ジをセッション初期化プロトコル（ＳＩＰ）基盤２００  ＯＫメッセ−ジに変更するステップと、
前記２００  ＯＫメッセ−ジを前記ＭＧＣＦからＳ−ＣＳＣＦへ伝送するステップと、
前記Ｓ−ＣＳＣＦが前記２００  ＯＫメッセ−ジを前記第２のメッセ−ジに対する応答として前記ＣＳＩ  ＡＳへ伝達するステップとを含むことを特徴とする請求項３記載の方法。
【請求項９】
前記第２の応答メッセ−ジを受信するステップは、
Ｓ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）が、前記第１の端末が前記他の部分に対するセッションを受諾することを示す２００  ＯＫメッセ−ジを受信するステップと、
前記Ｓ−ＣＳＣＦが前記２００  ＯＫメッセ−ジを前記ＣＳＩ  ＡＳへ伝達するステップとを含むことを特徴とする請求項３記載の方法。
【請求項１０】
前記第３の応答メッセ−ジを伝送するステップは、
前記ＣＳＩ  ＡＳが前記音声通話関連部分及び前記他の部分に対する結合された２００  ＯＫメッセ−ジを生成するステップと、
前記ＣＳＩ  ＡＳが前記結合された２００  ＯＫメッセ−ジをＳ−ＣＳＣＦへ伝送するステップと、
前記結合された２００  ＯＫメッセ−ジを前記第２の端末へ伝達するステップとを含むことを特徴とする請求項３記載の方法。
【請求項１１】
前記第２の端末とメディアゲ−トウエイ（ＭＧＷ）との間のＶｏＩＰ音声ベアラ−及び前記第１の端末と前記ＭＧＷとの間のＣＳ音声ベアラ−を介して音声呼を遂行するステップと、
前記第２の端末と前記第１の端末との間のユ−ザ−ベアラ−を介して他のサ−ビスを遂行するステップとをさらに含むことを特徴とする請求項１記載の方法。
【請求項１２】
前記他の部分は、少なくとも一つのメッセ−ジ部分と、ファイル伝送部分と、ＭＳＲＰ（Ｍｅｓｓａｇｅ  Ｓｅｓｓｉｏｎ  Ｒｅｌａｙ  Ｐｒｏｔｏｃｏｌ）部分と、他のＰＳサ−ビス部分とを含むことを特徴とする請求項１記載の方法。
【請求項１３】
回線交換（ＣＳ）呼及びインタ−ネットプロトコルマルチメディアサブシステム（ＩＭＳ）セッションを同時に使用することができ、ＶｏＩＰ呼を使用することができる第２の端末と前記第２の端末からＩＭＳドメインを介して受信された音声通話関連部分及び他の部分を含み、第２のメッセ−ジ及び第３のメッセ−ジに分離される第１のメッセ−ジに従って通信する第１の端末のサ−ビス提供方法であって、
前記第１のメッセ−ジから分離された前記音声通話関連部分を含む前記第２のメッセ−ジをＣＳドメインから受信するステップと、
前記第１のメッセ−ジから分離された前記他の部分を含む前記第３のメッセ−ジをＰＳドメインから受信するステップと、
前記第２のメッセ−ジに対応して、前記第２の端末を宛先とする第１の応答メッセ−ジを前記ＣＳドメインへ伝送するステップと、
前記第３のメッセ−ジに対応して、前記第２の端末を宛先とする第２の応答メッセ−ジを前記ＰＳドメインへ伝送するステップと
を含むことを特徴とするサ−ビス提供方法。
【請求項１４】
前記第２の端末とメディアゲ−トウエイ（ＭＧＷ）との間のＶｏＩＰ音声ベアラ−及び前記第１の端末と前記ＭＧＷとの間のＣＳ音声ベアラ−を介して音声呼を遂行するステップと、
前記第２の端末と前記第１の端末との間のユ−ザ−ベアラ−を介して他のサ−ビスを遂行するステップとをさらに含むことを特徴とする請求項１３記載のサ−ビス提供方法。
【請求項１５】
回線交換（ＣＳ）呼及びインタ−ネットプロトコルマルチメディアサブシステム（ＩＭＳ）セッションを同時に使用可能な第１の端末とＶｏＩＰ呼を使用可能な第２の端末との間の回線交換（ＣＳ）呼及びインタ−ネットプロトコルマルチメディアサブシステム（ＩＭＳ）サ−ビスを提供するための装置であって、
音声通話関連部分及び他の部分を含む第１のメッセ−ジをＩＭＳドメインを介して受信し、前記音声通話関連部分を前記他の部分から分離し、前記音声通話関連部分を含む第２のメッセ−ジをＣＳドメインを介して前記第１の端末へ伝送し、前記他の部分を含む第３のメッセ−ジをＰＳドメインを介して前記第１の端末へ伝送する第１の構成要素と、
前記音声通話関連部分に対する第１の応答メッセ−ジを前記ＣＳドメインを介して前記第１の端末から受信し、前記他の部分に対する第２の応答メッセ−ジを前記ＰＳドメインを介して前記第１の端末から受信する第２の構成要素と、
前記音声通話関連部分及び前記他の部分に対する第３の応答メッセ−ジを前記第２の端末へ伝送する第３の構成要素と
を含むことを特徴とする装置。
【請求項１６】
前記第１のメッセ−ジは、前記第１の端末に向かうセッション初期化プロトコル（ＳＩＰ）基盤メッセ−ジであることを特徴とする請求項１５記載の装置。
【請求項１７】
前記制御エンティティは、ＣＳＩ  ＡＳを含むことを特徴とする請求項１５記載の装置。
【請求項１８】
前記ＣＳＩ  ＡＳは、前記第１の端末が登録された前記ＩＭＳドメインのＳ−ＣＳＣＦを介して前記第２の端末により発信された前記第１のメッセ−ジを受信することを特徴とする請求項１６記載の装置。
【請求項１９】
前記ＣＳＩ  ＡＳは、前記第１のメッセ−ジが前記音声通話関連部分及び前記他の部分を含んでいるか否かにより、前記音声通話関連部分を前記他の部分から分離することにより、前記音声通話関連部分に対する前記第２のメッセ−ジ及び前記他の部分に対する前記第３のメッセ−ジを生成することを特徴とする請求項１６記載の装置。
【請求項２０】
前記ＣＳＩ  ＡＳは、前記第２のメッセ−ジをメディアゲ−トウエイ制御部（ＭＧＣＦ）へ伝送し、前記メディアゲ−トウエイ制御部（ＭＧＣＦ）は、前記第２のメッセ−ジをＩＳＵＰ  ＩＡＭに変更し、前記ＩＳＵＰ  ＩＡＭを前記ＣＳドメインを介して前記第１の端末へ伝送することを特徴とする請求項１６記載の装置。
【請求項２１】
前記Ｓ−ＣＳＣＦは、前記第１の端末が前記他の部分に対するセッションを受諾することを示す２００  ＯＫメッセ−ジを受信し、前記２００  ＯＫメッセ−ジを前記ＣＳＩ  ＡＳへ伝達することを特徴とする請求項１８記載の装置。
【請求項２２】
前記ＣＳＩ  ＡＳは、前記音声通話関連部分及び前記他の部分に対する結合された２００  ＯＫメッセ−ジを生成し、前記結合された２００  ＯＫメッセ−ジを前記Ｓ−ＣＳＣＦを介して前記第２の端末へ伝達することを特徴とする請求項１８記載の装置。
【請求項２３】
前記他の部分は、少なくとも一つのメッセ−ジ部分と、ファイル伝送部分と、ＭＳＲＰ部分と、他のＰＳサ−ビス部分とを含むことを特徴とする請求項１５記載の装置。
【請求項２４】
回線交換（ＣＳ）呼及びインタ−ネットプロトコルマルチメディアサブシステム（ＩＭＳ）サ−ビスを提供するためのシステムであって、
前記ＣＳ呼とＩＭＳセッションを同時に使用可能な第１の端末と、
ＶｏＩＰ呼を使用可能な第２の端末と、
音声通話関連部分及び他の部分を含む第１のメッセ−ジをＩＭＳドメインを介して受信し、前記音声通話関連部分を前記他の部分から分離し、前記音声通話関連部分を含む第２のメッセ−ジをＣＳドメインを介して前記第１の端末へ伝送し、前記他の部分を含む第３のメッセ−ジをＰＳドメインを介して前記第１の端末へ伝送し、前記音声通話関連部分に対する第１の応答メッセ−ジを前記ＣＳドメインを介して前記第１の端末から受信し、前記他の部分に対する第２の応答メッセ−ジを前記ＰＳドメインを介して前記第１の端末から受信し、前記音声通話関連部分及び前記他の部分に対する第３の応答メッセ−ジを前記第２の端末へ伝送することを特徴とするシステム。
【請求項２５】
前記他の部分は、少なくとも一つのメッセ−ジ部分と、ファイル伝送部分と、ＭＳＲＰ部分と、他のＰＳサ−ビス部分とを含むことを特徴とする請求項２４記載のシステム。
【発明の詳細な説明】
【技術分野】
【０００１】
本発明は、回線交換(Circuit Switched、以下、「ＣＳ」と称する。)呼と、インターネットプロトコルマルチメディアサブシステム(Internet  Protocol  Multimedia  Subsystem、以下、「ＩＭＳ」と称する。)セッションとの統合されたサービス(Combined CS call and IMS session、以下、「ＣＳＩ」と称する。)の連動(interworking)に関し、特に、ＣＳ呼とＩＭＳセッションともを支援する端末(以下、「ＣＳＩ端末」と称する。)と、リアルタイム音声又は画像通話のためにＩＭＳセッションを使用する端末(以下、「ＩＭＳ端末」と称する。)との間の通信方法及び装置に関する。
【背景技術】
【０００２】
ＣＳ方式は、典型的な音声サービス及びリアルタイムサービスのために使用されるもので、あるユーザーと他のユーザーとの間にＣＳ基盤の固定された通話経路を形成する方式を意味する。ＩＭＳは、インターネットプロトコル(Internet Protocol；ＩＰ)に基づいたパケット交換(Packet Switched；ＰＳ)基盤の固定されていない通話経路を使用することで、伝送効率の増大、且つ、安全性の保証が図れるため、データサービス、メッセージングサービス及びファイル伝送サービスに適している。このようなＩＭＳは、単純な一対一通話だけでなく、多数のユーザーが参加するコネクションを支援することができる。ＣＳ方式におけるメッセージ及びユーザートラフィックの伝送は、ＣＳ呼を介して行われ、ＩＭＳ方式におけるメッセージ及びユーザートラフィックの伝送は、ＩＭＳセッションを介して行われる。
【０００３】
前述したＣＳ呼とＩＭＳセッションともを端末で使用できるサービスを“ＣＳＩサービス”といい、特に、ＣＳＩサービスは、音声伝送のためにはＣＳ呼を用い、同時により向上したＰＳサービス、例えばメッセージングやファイル伝送などのためにはＩＭＳセッションを用いる。ＣＳＩサービスを支援する端末(又は、ＵＥ(User Equipment))を“ＣＳＩ端末(又は、ＣＳＩ ＵＥ)”という。ＣＳＩ ＵＥは、リアルタイム音声通話のためにはＣＳ呼を用い、同時にメッセージングのような非リアルタイムＰＳサービスのためにはＩＭＳセッションを用いる。ＣＳＩサービスでは、ＣＳ呼を用いるサービスとして音声通話を考慮しているが、ＣＳネットワークが画像通話を支援する場合には音声通話だけでなく画像通話までＣＳ呼を用いるようにすることができる。
【０００４】
以下、本明細書では、ＣＳ呼を用いるサービスの代表例として音声通話(Voice call service)を参照し、ＩＭＳを利用するＰＳサービスの代表例としてＭＳＲＰ(Message Session Relay Protocol)を使用するメッセージングサービスを参照して説明する。このような例は、説明の便宜のためのもので、実際には多様なサービスが適用できる。
【０００５】
図１は、ＣＳＩサービスを支援する移動通信ネットワークの構造を簡略に示す図である。ここでは、ＧＳＭ(Global System for Mobile Communications)及びＧＰＲＳ(General Packet Radio Services)に基づいたＵＭＴＳ(Universal Mobile Telecommunication Service)移動通信ネットワークの構造を示す。
図１によれば、ＣＳＩサービスを支援する移動通信ネットワークは、ＲＡＮ(Radio Access Network)１０４とＣＮ(Core Network)１０６とからなる。ＲＡＮ(１０４)は、ＵＥ(User Equipment)１０２がＣＮ(１０６)に接続可能であるようにする。ＲＡＮ(１０４)は、使用される無線アクセス技術などに従い、その構造が既に公知されたものなので、ここでは詳細な説明を省略する。
【０００６】
ＣＮ(１０６)は、ＣＳドメイン１１４、ＰＳドメイン１０８及びＩＭＳドメイン１２２からなる。ＣＳドメイン１１４は、ＣＳ呼を支援するエンティティからなり、エンティティの代表例としては、ＭＳＣ(Mobile Switching Center)１２０と、ＭＧＷ(Media Gateway)１１６、１１８とがある。ＭＳＣ(１２０)は、ＲＡＮ(１０４)内の移動電話基地局から発信／着信される信号を処理し、移動電話基地局の効率的な運用を調整する中央統制機能を担当する。ＭＧＷ(１１６、１１８)は、ベアラトラフィックと制御トラフィックとを支援するゲートウエイである。
【０００７】
ＰＳドメイン１０８は、パケット基盤のサービスを支援し、ＳＧＳＮ(Serving GPRS Support Node)１１０及びＧＧＳＮ(Gateway GPRS Support Node)１１２のようなノードからなる。ＳＧＳＮ(１１０)は、各ＵＥの位置に関する情報を管理し、保安関連機能及びアクセス制御などを遂行する。ＧＧＳＮ(１１２)は、ＰＤＮ(Packet Data Network)のような外部ネットワーク１３０とＳＧＳＮ(１１０)との間の無線ゲートウエイの役割をするＧＰＲＳネットワークの構成要素であって、ＵＥ(１０２)はＧＧＳＮ(１１２)を介して外部ネットワーク１３０に接続することができる。
【０００８】
ＩＭＳドメイン１２２は、ＩＭＳセッションを支援するエンティティからなる。エンティティは、Ｓ−ＣＳＣＦ(Serving-Call Session Control Function)１２４、ＡＳ(Application Server)１２６及びＭＧＣＦ／ＭＧＷ(Media Gateway Control Function/Media Gateway)１２８を含む。Ｓ−ＣＳＣＦ(１２４)は、ＩＭＳセッションを設定し、ＵＥ(１０２)から伝達されたＳＩＰ(Session Initiation Protocol)メッセージを受信して処理する。Ｓ−ＣＳＣＦ(１２４)は、ＵＥ(１０２)の要請に従ってサービスを提供するために、ＩＭＳドメイン１２２内の他のエンティティにＳＩＰメッセージを伝達して、セッションが完成されるようにする。ＡＳ(１２６)は、Ｅ−ｍａｉｌやセルラーによるＰｏＣ(Push To Talk over Cellular)などのように、ユーザーに多様なアプリケーションを提供するためのエンティティである。ＭＧＣＦ／ＭＧＷ(１２８)は、ＩＭＳユーザーとＣＳユーザーとが通信できるようにするネットワークエンティティであって、ＩＭＳネットワークと既存ネットワーク、例えば、ＰＳＴＮ(Public Switched Telephone Network)やＣＳドメイン１１４との間の連動のためのシグナリング変換を担当するゲートウエイであるＭＧＣＦと、メディア変換のためのＩＭＳ−ＭＧＷとからなる。図示していないが、ＣＳ着信(termination)呼に対するルーティングの最適化を考慮して、ＣＳドメインとの連結接点になる最適なＭＧＣＦを選択するためのネットワークエンティティであるＢＧＣＦ(Breakout Gateway Control Function)が更に具備されることができる。ＢＧＣＦは、ＭＧＣＦ／ＭＧＷ(１２８)に含まれたり、別に具備されたりでき、ＣＳネットワークとの連結接点になるＭＧＣＦを選択するネットワークエンティティである。
【０００９】
前述したエンティティの以外にも、各ドメインには様々なエンティティが存在でき、ＣＳＩサービスのために各ドメインのエンティティが関与することができる。
【００１０】
図２は、典型的なＣＳＩサービスによってＣＳＩ ＵＥ間の制御シグナリングの連結構造を示す図である。
図２によれば、ＣＳＩ ＵＥ＃１(２０４)及びＣＳＩ ＵＥ＃２(２１４)は、各々ネットワーク＃１(２０２)及びネットワーク＃２(２１２)に接続されている。ネットワーク＃１(２０２)は、ＣＳドメイン＃１(２０８)、ＰＳドメイン＃１(２０６)及びＩＭＳドメイン＃１(２１０)からなり、ネットワーク＃２(２１２)は、ＣＳドメイン＃２(２１８)、ＰＳドメイン＃２(２１６)及びＩＭＳドメイン＃２(２２０)からなる。
【００１１】
ＣＳＩ ＵＥ＃１、＃２(２０４、２１４)間の音声通話のためのＣＳ呼の制御信号２３２は、ＣＳドメイン＃１(２０８)及びＣＳドメイン＃２(２１８)を介して伝達される。また、音声通話の以外のマルチメディアサービスのためのＩＭＳセッションの制御メッセージ２３０は、ＰＳドメイン＃１(２０６)、ＩＭＳドメイン＃１(２１０)、ＩＭＳドメイン＃２(２２０)及びＰＳドメイン＃２(２１６)を介して行われる。ＩＭＳセッション制御はＳＩＰプロトコルで行われる。ＳＩＰは、ＩＥＴＦ(Internet Engineering Task Force)ＭＭＵＳＩＣ(Multiparty Multimedia Session Control)Working Groupにより、Ｈ.３２３に対する代案として開発されたプロトコルである。ＳＩＰは、ＩＰネットワークを介して音声及びマルチメディア呼をセットアップするプラットホームを備えている。
【００１２】
このように、通信するＵＥの両方ともがＣＳＩ ＵＥの場合、制御の流れは各ドメイン別になされる。しかしながら、一つのＵＥがＣＳＩサービスを支援しない場合、例えば、ＩＭＳセッションだけを使用する場合には、前述したような制御の流れに従うことができない。
【００１３】
よって、ＣＳＩサービスを支援するＵＥと、ＣＳＩサービスを支援しなかったり、或いは、ＩＭＳセッションだけを使用するＵＥとの間の通信を行う技術が必要になった。
【発明の開示】
【発明が解決しようとする課題】
【００１４】
本発明の目的は、ＣＳ呼とＩＭＳセッションともを支援できるＵＥ(以下、ＣＳＩ ＵＥと称する。)と、ＣＳ呼を支援しなかったり、支援してもリアルタイムサービスのためにＩＭＳセッションを用いるのを好むＵＥ(以下、ＩＭＳ ＵＥと称する。)との間に、音声サービスと他のマルチメディアサービスとを遂行するための制御メッセージの交換方法及び装置を提供する。
【００１５】
本発明の他の目的は、ＩＭＳ ＵＥが呼を開始(originating)ある場合、音声サービス又は音声サービスが含まれたマルチメディアサービスをＣＳＩ ＵＥに提供する方法及び装置を提供することにある。
【課題を解決するための手段】
【００１６】
前記目的を達成するために、本発明は、ＣＳ呼とＩＭＳセッションともを使用できる第１の端末と、ＩＭＳセッションを使用できる第２の端末との間の音声及びマルチメディアサービスの連動方法であって、前記第１の端末が登録されているＩＭＳドメインの制御エンティティで、前記第２の端末により発信されたサービスに対し、前記第１の端末に向かうＳＩＰに従う要請メッセージを受信するステップと、前記要請メッセージが、音声通話サービスと前記音声通話サービス以外のマルチメディアサービスとを要請する場合、前記制御エンティティで、前記要請メッセージに含まれた音声通話関連部分とマルチメディアサービス関連部分とを分離し、前記それぞれの関連部分を含む第１及び第２の要請メッセージを生成するステップと、前記音声通話関連部分を含む前記第１の要請メッセージを、前記制御エンティティから前記第１の端末が連結されているＣＳドメインを介して前記第１の端末に伝送するステップと、前記マルチメディアサービス関連部分を含む第２の要請メッセージを、前記制御エンティティから前記第１の端末に伝送するステップと、前記第１及び第２の要請メッセージに対応する第１及び第２の応答メッセージを前記第１の端末から受信し、前記制御エンティティで前記第１及び第２の応答メッセージを結合して、結合された応答メッセージを生成するステップと、前記結合された応答メッセージを前記要請メッセージに対応して前記第２の端末に伝送するステップと、前記第２の端末と前記ＩＭＳドメインのＭＧＷとの間に設定された音声ベアラーと、前記第１の端末と前記ＣＳドメインとの間に設定されたＣＳ音声ベアラーとを介して音声通話が遂行され、前記第２の端末と前記第１の端末との間に設定されたユーザーベアラーを介して前記マルチメディアサービスが遂行されるステップとを含む。
【００１７】
また、本発明は、音声通話のためにはＣＳ呼を使用し、ＰＳサービスのためにはＣＳ呼とＩＭＳセッションとを使用するように構成された第１の端末と、前記音声通話及び前記パケット交換サービスのために、前記ＩＭＳセッションを使用する第２の端末と、前記第２の端末により生成され、前記第１の端末に向かうＳＩＰに従う要請メッセージを受信して、前記要請メッセージの音声通話関連部分とマルチメディアサービス関連部分とを各々含む第１及び第２の要請メッセージを生成し、前記第１の要請メッセージを前記第１の端末が連結されているＣＳドメインを介して前記第１の端末に伝送し、前記第２の要請メッセージを前記第１の端末に伝送する、前記第１の端末を担当するＩＭＳドメインの制御エンティティとを含み、前記制御エンティティは、前記第１及び第２の要請メッセージに対応する第１及び第２の応答メッセージを前記第１の端末から受信し、前記第１及び第２の応答メッセージを結合して結合された応答メッセージを生成し、前記結合された応答メッセージを前記要請メッセージに対応して前記第２の端末に伝送し、前記第２の端末と前記ＩＭＳドメインのＭＧＷとの間に設定された音声ベアラーと、前記第１の端末と前記ＣＳドメインとの間に設定されたＣＳ音声ベアラーとを介して音声通話が遂行され、前記第２の端末と前記第１の端末との間に設定されたユーザーベアラーを介して前記マルチメディアサービスが遂行される。
【発明の効果】
【００１８】
本発明によれば、ＩＭＳドメインの制御エンティティにより、ＩＭＳ ＵＥ及びＣＳＩ ＵＥからの制御メッセージをその目的によって分離し、分離された各々を該当するネットワーク個体にルーティングすることで、ＣＳＩ ＵＥとＩＭＳ ＵＥとの間でＩＭＳ ＵＥの発信による音声通話及びマルチメディアサービスの結合されたサービスが可能になる。
【発明を実施するための最良の形態】
【００１９】
以下、本発明の好適な実施形態について添付図面を参照しながら詳細に説明する。なお、下記の説明において、本発明の要旨のみを明瞭にするために、公知の機能や構成についての具体的な説明は適宜省略する。また、後述される用語は、本発明の機能を考慮して定義されたもので、これは、ユーザーや運用者の意図又は慣例などによって変化し得るため、本明細書の全般に渡った内容に基づいて定義されるべきである。
【００２０】
本発明の主要な要旨は、音声通話のためにＣＳ呼を使用し、同時に他のマルチメディアサービスのためにＩＭＳセッションを使用するＣＳＩ ＵＥと、ＣＳ呼を支援しなかったり、或いは、音声通話及び他のマルチメディアサービスのためにＩＭＳセッションを使用するのを好むＩＭＳ ＵＥとの間の通信を提供することである。特に、ＩＭＳ ＵＥが音声サービスを含むマルチメディアサービスを開始(originating)し、マルチメディアサービスがＣＳＩ ＵＥから着信(terminating)される場合の通信を説明する。
【００２１】
以下、説明の便宜のために、本発明の実施形態では、ＣＳ呼を用いるサービスの代表例として音声通話を参照し、ＩＭＳを利用するＰＳサービスの代表例 としてＭＳＲＰを使用するメッセージングサービスを参照して説明する。
【００２２】
本発明は、ＣＳＩ ＵＥとＩＭＳ ＵＥとが通信するとき、音声サービス及び他のマルチメディアサービスのための制御信号を交換するための制御構造を提案する。また、本発明は、制御構造でＩＭＳ ＵＥが呼を開始した場合、音声サービス又は音声サービスが含まれたマルチメディアサービス(以下、結合されたサービス(combined service)と称する。)をＣＳＩ ＵＥに提供するための制御信号方式を提案する。
【００２３】
具体的に、本発明の実施形態では、ＣＳＩ ＵＥ側のＩＭＳドメイン内の制御エンティティが制御信号を管理することを提案している。ＩＭＳ ＵＥがＣＳＩ ＵＥに音声通話を開始する場合、制御エンティティはＩＭＳ ＵＥが伝送したＳＩＰメッセージを適切に変形してＣＳＩ ＵＥのＣＳドメインに伝達する。これにより、ＣＳドメインを用いて音声通話が行われる。また、ＩＭＳ ＵＥがＣＳＩ ＵＥに音声通話とマルチメディアサービスともを利用するためのＳＩＰメッセージを伝送する場合、制御エンティティは、ＳＩＰメッセージから音声サービスに関連した部分(media component)は制御ＣＳドメインを介して伝達し、その他のマルチメディアサービスに関連した部分(media component)はＩＭＳドメインを介してＣＳＩ ＵＥに伝達する。すなわち、制御エンティティは、音声通話と他のマルチメディアサービスとが結合されたＩＭＳセッションの制御メッセージを分けて各々処理する。
【００２４】
図３は、本発明の実施形態によるＣＳＩ ＵＥとＩＭＳ ＵＥとの間の制御信号の連結構造を示す図である。
図３によれば、ＣＳＩ ＵＥ(３０４)が位置したネットワーク＃１(３０２)は、ＣＳドメイン＃１(３０８)、ＰＳドメイン＃１(３０６)及びＩＭＳドメイン＃１(３１２)からなり、ＩＭＳ ＵＥ(３１６)が位置したネットワーク＃２(３１４)は、ＩＭＳドメイン＃２(３２０)及びＩＰ−ＣＡＮ(IP-Connectivity Access Network)３１８からなる。ＩＰ−ＣＡＮ(３１８)は、ＩＭＳ加入者がＰＳドメイン又はＩＭＳドメインに接続できるように支援する中間ネットワークである。
【００２５】
図３に示すように、２つのＵＥ(３０４、３１６)間の音声通話のための制御信号３３４は、ネットワーク＃１(３０２)ではＣＳドメイン＃１(３０８)及びＩＭＳドメイン＃１(３１０)を介して伝達され、音声通話の以外のマルチメディアサービスのための制御信号３３０、３３２は、ＰＳドメイン＃１(３０６)及びＩＭＳドメイン＃１、＃２(３１２、３２０)を介して伝達される。ＣＳＩ ＵＥ(３０４)の制御信号３３０、３３２は、図２と同様に、ＰＳドメイン＃１(３０６)及びＣＳドメイン＃１(３０８)に分けられて伝達されるが、ＩＭＳ ＵＥ(３１６)の制御信号は、結合されたＩＭＳセッションを利用するので、音声通話及び他のマルチメディアサービスのための制御信号が一つのＳＩＰメッセージを介して伝達される。
【００２６】
ＣＳＩ ＵＥ(３０４)がＩＭＳ ＵＥ(３１６)に向けて音声通話又は結合サービスのための呼を開始した場合には、何らの問題もない。すなわち、ＣＳＩ ＵＥ(３０４)が音声通話を開始する場合にはＣＳ呼を利用することになり、ＣＳ呼は、既存のＣＳ／ＩＭＳ連動方法により、ネットワーク＃２(３１４)のＩＭＳドメイン＃２(３２０)によりＩＭＳセッションに変換される。また、ＣＳＩ ＵＥ(３０４)が結合サービスのための呼を開始した場合、ＣＳＩ ＵＥ(３０４)はＣＳ呼及びＩＭＳセッションを開始し、これらは各々独立的にＩＭＳ ＵＥ(３１６)に伝達される。
【００２７】
しかしながら、ＩＭＳ ＵＥ(３１６)が呼を開始する場合には、制御信号の連結に問題が発生し得る。すなわち、ＩＭＳ ＵＥ(３１６)が音声通話のためのＳＩＰメッセージをＣＳＩ ＵＥに伝送する場合、ＳＩＰメッセージはＣＳＩ ＵＥ(３０４)が登録されているＩＭＳドメイン＃１(３１０)に伝達される。しかしながら、従来技術によれば、ＳＩＰメッセージはＩＭＳセッションを利用した音声呼、すなわち、ＶｏＩＰ(Voice over Internet Protocol)呼の設定を開始するためにＰＳドメイン＃１(３０６)を介してＣＳＩ ＵＥ(３０４)に伝達される。よって、ＣＳＩ ＵＥ(３０４)が音声通話のためにＣＳ呼を使用するものでなく、ＶｏＩＰを利用したＰＳ呼を使用することになる。このとき、ＰＳ呼がリアルタイムサービスを正常に支援できない場合、通話品質の低下を招くことになる。また、ＩＭＳ ＵＥ(３１６)が、結合されたサービスを開始するためのＳＩＰメッセージをＣＳＩ ＵＥ(３０４)に伝送する場合にも、同様な問題が発生し得る。
【００２８】
本発明の実施形態は、前述した問題を解決するための、ＩＭＳドメイン＃１(３１０)内の制御エンティティ３１２の動作を提案する。好ましい実施形態において、制御エンティティ３１２は、Ｓ−ＣＳＣＦ(第１の実施形態)又はＣＳＩサービスを支援するＡＳ(以下、「ＣＳＩ ＡＳ」と称する。)(第２の実施形態)になり得る。
【００２９】
図４Ａ及び図４Ｂは、本発明の実施形態によるＩＭＳドメイン内でＩＭＳ ＵＥとＣＳＩ ＵＥとの間の制御信号を管理する制御エンティティの動作を示すフローチャートである。前述したように、制御エンティティはＣＳＩ ＡＳ又はＳ−ＣＳＣＦになり得る。ここで、図４Ａは呼の設定時の動作で、図４Ｂは呼の終了時の動作である。
【００３０】
図４Ａを参照して呼の設定時の動作を説明すれば、ＣＳＩ ＵＥは、段階Ｓ４０２においてＳＩＰメッセージを受信する前にＣＳＩサービスの支援を受けるために制御エンティティに登録される。ＣＳＩ ＵＥが制御エンティティに登録される過程は、図５Ａ及び図８Ａに詳細に説明する。段階Ｓ４０４において、制御エンティティは、ＣＳＩ ＵＥに向かうＳＩＰメッセージ、特にＩＮＶＩＴＥメッセージを受信する。図示していないが、段階Ｓ４０４において、制御エンティティはＩＮＶＩＴＥメッセージが音声通話を含むサービスか否か、すなわち、音声通話のためのメディアコンポーネントを含むか否かを確認する。仮に、ＩＮＶＩＴＥメッセージが音声通話を含むサービスのためのものでない場合、すなわち、非リアルタイムＰＳサービスだけのためのものである場合、後述する追加的な手順なしに直ぐＣＳＩ ＵＥにＩＮＶＩＴＥメッセージが伝送される。このような音声通話サービスを含むか否かに対する確認は、ＣＳＩ ＡＳが制御エンティティとして使用される場合、そのような確認が既にＳ−ＣＳＣＦで実施されたと見なされるため、省略できる。
【００３１】
段階Ｓ４０６において、制御エンティティは、ＩＮＶＩＴＥメッセージにより要求されたセッションが、音声セッションか、或いは、結合されたＩＭＳセッション、すなわち音声通話セッションと他のマルチメディアセッションとが結合されたものかを判断する。ここで、他のマルチメディアセッションの例としてＭＳＲＰ(Message Session Relay Protocol)セッションを挙げた。ＭＳＲＰは、ＳＩＰ ＭＥＳＳＡＧＥメッセージ間の関連関係を全く考慮しない、ＳＩＰ ＭＥＳＳＡＧＥ方式を用いたインスタントメッセージング電送方法の短所を補完するために、ＩＥＴＦにより提案されたメッセージ伝送方式である。本明細書では、ＩＭＳを利用する非リアルタイムマルチメディアサービスの例としてＭＳＲＰを使用する。音声セッションだけが要請された場合、段階Ｓ４１６において、制御エンティティは、ＩＮＶＩＴＥメッセージをＣＳドメインにルーティングされるように処理する。ＣＳドメインへのルーティングのためのＩＮＶＩＴＥメッセージの処理については、以下に述べる。
【００３２】
すなわち、ＩＮＶＩＴＥメッセージの処理は２つの場合に大別されるが、これは、ＣＳＩ ＵＥに割り当てられたＣＳサービスのための電話番号(以下、ＣＳ電話番号、或いは、ＣＳ＿ＭＳＩＳＤＭ(Mobile Station ISDN(Integrated Services Digital Network))と称する。)と、ＩＭＳサービスのための電話番号(以下、ＩＭＳ電話番号、或いは、ＩＭＳ_ＭＳＩＳＤＭと称する。)とが互いに異なる場合及び同一の場合である。
【００３３】
２つの電話番号が異なる場合、制御エンティティは、ＩＮＶＩＴＥメッセージの宛先アドレスを、ＣＳ電話番号を示すＴｅｌ ＵＲＩ(Universal Resource Identifier)形態、又は、ｕｓｅｒ＝ｐｈｏｎｅパラメータを持つＳＩＰ ＵＲＩ形態(以下、ＳＩＰ ＵＲＩ ｕｓｅｒ＝ｐｈｏｎｅと称する。)に変換して伝送する。これで、Ｔｅｌ ＵＲＩ又はＳＩＰ ＵＲＩ ｕｓｅｒ＝ｐｈｏｎｅ形態に変換された宛先アドレスを持つＩＮＶＩＴＥメッセージは、ＩＭＳルーティングルールによってＣＳドメインに伝達される。
【００３４】
２つの電話番号が同一の場合、制御エンティティは、ＩＮＶＩＴＥメッセージの宛先アドレスを、ｅ−ｍａｉｌアドレス形態のＳＩＰ ＵＲＩからＴｅｌ ＵＲＩ又は電話番号が含まれたＳＩＰ ＵＲＩ ｕｓｅｒ＝ｐｈｏｎｅ形態に変換する。従来技術では、Ｔｅｌ ＵＲＩ又はＳＩＰ ＵＲＩ ｕｓｅｒ＝ｐｈｏｎｅ形態に変更された宛先アドレスを持つＳＩＰメッセージがＳ−ＣＳＣＦに到着すれば、Ｓ−ＣＳＣＦは宛先アドレスをＥＮＵＭ(E-mail and Telephone Numbering Mapping)質疑(query)を介して得たＳＩＰ ＵＲＩ形態に変換し、変換された宛先アドレスを持つＳＩＰメッセージをＩＭＳドメインに伝達することになる。
【００３５】
これを防止し、ＳＩＰメッセージがＣＳドメインに伝達されるように、本発明の実施形態では、ＳＩＰメッセージのＴｅｌ ＵＲＩ又はＳＩＰ ＵＲＩ ｕｓｅｒ＝ｐｈｏｎｅ形態の宛先アドレスにＣＳドメインへの伝達を示す情報を追加したり、ＣＳドメインへの伝達を示す“Ｒｏｕｔｅ”ヘッダを追加したり、Ｔｅｌ ＵＲＩ又はＳＩＰ ＵＲＩ ｕｓｅｒ＝ｐｈｏｎｅ形態の宛先アドレスを持つＳＩＰメッセージが常にＣＳドメインに伝達されるように設定された初期フィルターリング条件(Initial filter criteria；以下、ｉＦＣと称する。)をＳＩＰメッセージに適用する。或いは、ＣＳＩ ＡＳがＳＩＰメッセージを、Ｓ−ＣＳＣＦを経ることなくＭＧＣＦ／ＭＧＷを介して直接ＣＳドメインに伝達することもできる。ここで、ｉＦＣは、ユーザーの加入情報に含まれるもので、Ｓ−ＣＳＣＦに受信されるメッセージを処理する方式と、メッセージを伝達する次／最終のノードを決定するために、メッセージに含まれるパラメータ(例えば、宛先アドレス)を解析する方式とを指定するサービスプロファイル情報を示す。
【００３６】
段階Ｓ４１８において、制御エンティティは、処理されたＩＮＶＩＴＥメッセージをＣＳドメインを介してＣＳＩ ＵＥに伝送し、段階Ｓ４１４においてＣＳＩ ＵＥからの応答メッセージを相対側であるＩＭＳ ＵＥに伝達する。
【００３７】
一方、段階Ｓ４０６において、結合されたＩＭＳセッションが要請された場合、段階Ｓ４０８において、制御エンティティは、受信したＩＮＶＩＴＥメッセージに含まれたセッション説明プロトコル(Session Description Protocol：ＳＤＰ)情報を音声通話関連部分とＭＳＲＰ関連部分とに分離して、それぞれの関連部分を含む２つのＩＮＶＩＴＥメッセージを生成する。このとき、音声通話関連部分を含むＩＮＶＩＴＥメッセージ(以下、音声通話のためのＩＮＶＩＴＥメッセージと称する。)は、段階Ｓ４１６と同様な方法により、ＣＳドメインにルーティングされるように構成される。すなわち、元のＩＮＶＩＴＥメッセージに含まれた宛先アドレスは、Ｔｅｌ ＵＲＩ又はＳＩＰ ＵＲＩ形態に変換されて音声通話のためのＩＮＶＩＴＥメッセージに挿入される。続いて、段階Ｓ４１０において、制御エンティティは、音声通話のためのＩＮＶＩＴＥメッセージはＣＳドメインを介してＣＳＩ ＵＥに伝送し、ＭＳＲＰ関連部分を含むＩＮＶＩＴＥメッセージ(以下、ＭＳＲＰのためのＩＮＶＩＴＥメッセージと称する。)は、ＩＭＳドメインを介してＣＳＩ ＵＥに伝送する。段階Ｓ４１２において、ＣＳＩ ＵＥから２つのＩＮＶＩＴＥメッセージに対する応答が到着すれば、制御エンティティは、応答を結合してＩＭＳ ＵＥが伝送したＩＮＶＩＴＥメッセージに対する応答メッセージを生成し、段階Ｓ４１４において応答メッセージをＩＭＳ ＵＥに伝達する。
【００３８】
図４Ｂを参照して呼の終了時の動作を説明すれば、段階Ｓ４２２において、呼を終了するためのＢＹＥメッセージを受信した場合、段階Ｓ４２４において、制御エンティティは、ＢＹＥメッセージの発信者がＣＳＩ ＵＥかＩＭＳ ＵＥかを判断する。ＢＹＥメッセージの発信者がＩＭＳ ＵＥである場合、段階Ｓ４２６において、制御エンティティは、相対側であるＣＳＩ ＵＥにＢＹＥメッセージを伝達する。このとき、ＢＹＥメッセージと関連した複数のセッションが存在する場合、すなわち、ＩＭＳ ＵＥとＣＳＩ ＵＥとの間に存在するセッションが前述した結合されたセッションである場合、それぞれのセッションに対してＢＹＥメッセージがＣＳＩ ＵＥに伝送される。ＣＳＩ ＵＥからＢＹＥメッセージに対する応答が全部到着すれば、段階Ｓ４３６において、相対側であるＩＭＳ ＵＥに段階Ｓ４２２のＢＹＥメッセージに対応する応答メッセージを伝達し、呼を終了する。
【００３９】
一方、ＢＹＥメッセージの発信者がＣＳＩ ＵＥである場合、段階Ｓ４２８において、制御エンティティは、ＢＹＥメッセージによりＣＳＩ ＵＥとＩＭＳ ＵＥとの間に存在する全てのＣＳＩセッションが終了されるか否かを判断する。仮に、依然として残っているセッションがある場合、段階Ｓ４３０においてＩＭＳ ＵＥにＢＹＥメッセージの代りにＭＯＤＩＦＹメッセージを伝送する。このとき、ＭＯＤＩＦＹメッセージは、受信されたＢＹＥメッセージにより除去が要請されたメディア関連部分だけを結合されたセッションから除去するように指示するＳＤＰパラメータを含む。ＭＯＤＩＦＹメッセージに対する応答メッセージを受信すれば、段階Ｓ４３２において、制御エンティティは、ＣＳＩ ＵＥに段階Ｓ４２２のＢＹＥメッセージに対応する応答メッセージを伝達する。一方、ＣＳＩ ＵＥが伝送したＢＹＥメッセージにより全てのＣＳＩセッションが終了される場合、段階Ｓ４３４において、制御エンティティは、ＩＭＳ ＵＥにＢＹＥメッセージを伝達する。段階Ｓ４３６においてＩＭＳ ＵＥからＢＹＥメッセージに対する応答が到着すれば、制御エンティティは、段階Ｓ４２２のＢＹＥメッセージに対応する応答メッセージをＣＳＩ ＵＥに伝達し、呼を終了する。
【００４０】
以下では、本発明の実施形態によりＩＭＳ ＵＥとＣＳＩ ＵＥとの通話のための手順を、図面を参照して説明する。後述する図５〜図１０では、ＩＭＳ呼の設定過程と関連したエンティティのうちで、本発明の主要な特徴に関連した部分だけを示す。具体的には、ＩＭＳドメインの公知のエンティティであるＰ(Proxy)−ＣＳＣＦ、Ｉ(Interrogating)−ＣＳＣＦ、ＧＢＣＦ、ＭＧＣＦ、ＳＧＷなど、ＣＳドメインの公知のエンティティであるＭＧＷ、ＭＳＣなど、及びメディア交渉(media negotiation)などの公知された手順についての説明は省略した。
【実施例１】
【００４１】
図５Ａは、本発明の第１の実施形態により、制御エンティティがＳ−ＣＳＣＦである場合、ＣＳＩ ＵＥをＳ−ＣＳＣＦに登録するための制御信号の流れを示す図である。
図５Ａによれば、段階Ｓ５００において、ＣＳＩ ＵＥは、ＲＥＧＩＳＴＥＲメッセージを伝送してＳ−ＣＳＣＦ１に登録する。このとき、ユーザーのＳＩＭ(Subscriber Identity Module)／ＵＳＩＭ(User Services Identity Module)カードが、ＣＳＩサービスが支援されない端末に挿入された場合には、前述した登録は行われてはならない。このような場合を感知するために、ＣＳＩ ＵＥは、ＣＳＩサービスを支援することを示す能力情報(capability)を制御エンティティ、すなわち、Ｓ−ＣＳＣＦ１に報知する。つまり、ＲＥＧＩＳＴＥＲメッセージは、ＣＳＩ ＵＥの能力情報を報知する指示者を含む。指示者の一例として、ＲＥＧＩＳＴＥＲメッセージのコンタクト(Contact)ヘッダに“ｆｅａｔｕｒｅ ｔａｇ”として、“＋ｇ.３ｇｐｐ.ｃｓｉ”を含む。
【００４２】
“ｆｅａｔｕｒｅ ｔａｇ”を介して、Ｓ−ＣＳＣＦ１は、ＲＥＧＩＳＴＥＲメッセージを伝送したＵＥがＣＳＩサービスを支援することを認知し、段階Ｓ５０２においてＣＳＩ ＵＥがＣＳＩサービスを使用できるように登録する。Ｓ−ＣＳＣＦ１は、段階Ｓ５０４においてＣＳＩ ＵＥに２００ ＯＫメッセージを伝送して登録が完了したことを報知する。
【００４３】
図５Ｂは、本発明の第１の実施形態により、制御エンティティがＳ−ＣＳＣＦである場合、ＩＭＳ ＵＥが音声通話を開始するためにＩＮＶＩＴＥメッセージを伝送するとき、ＩＭＳ発信及びＣＳＩ着信に対する制御信号の流れを示す図である。
図５Ｂによれば、段階Ｓ５１０において、ＩＭＳ ＵＥがＣＳＩ ＵＥとの音声通話のために音声セッションを要請するＩＮＶＩＴＥメッセージをＩＭＳ ＵＥを担当するＳ−ＣＳＣＦ２に伝送すれば、段階Ｓ５１２において、ＩＮＶＩＴＥメッセージはＣＳＩ ＵＥを担当するＳ−ＣＳＣＦ１に伝達される。段階Ｓ５１４において、Ｓ−ＣＳＣＦ１はＩＮＶＩＴＥメッセージに音声セッション関連部分が含まれていることを確認し、予め具備された着信ロジック(termination logic)に従って受信したＩＮＶＩＴＥメッセージがＣＳドメインにルーティングされるように処理する。着信ロジックは、Ｓ−ＣＳＣＦ１に具備され、引き込まれたＩＮＶＩＴＥメッセージが音声関連部分だけを含んでいるか、音声関連部分とＭＳＲＰ関連部分ともを含んでいるかを判断する。着信ロジックは、ＩＮＶＩＴＥメッセージを伝達した後には少なくとも一つのノードを決定して、必要であればＩＮＶＩＴＥメッセージの宛先アドレスを変更する機能を含む。段階Ｓ５１６において、宛先アドレスが変更されたＩＮＶＩＴＥメッセージはＭＧＣＦ／ＭＧＷに伝送され、段階Ｓ５１８において、ＭＧＣＦ／ＭＧＷはＳＩＰに基づいたＩＮＶＩＴＥメッセージを、ＣＳシグナリングプロトコルに基づいたＩＳＵＰ(ISDN User's Part)ＩＡＭ(Initial Address Message)に変換して、ＣＳドメインに伝達する。
【００４４】
段階Ｓ５２０において、ＣＳドメインは、ＩＳＵＰ ＩＡＭに応答して、ＣＳＩ ＵＥがＩＭＳ ＵＥと通話するための無線ベアラーを設定できるように、ＳＳ７(System Signaling No.7)プロトコルに従うＳＥＴＵＰメッセージをＲＡＮを介してＣＳＩ ＵＥに伝送する。段階Ｓ５２２において、ＣＳＩ ＵＥは ＳＥＴＵＰメッセージに対する応答として無線ベアラーを設定した後、ＣＯＮＮＥＣＴメッセージをＣＳドメインに伝送し、段階Ｓ５２４において、ＣＳドメインはＣＯＮＮＥＣＴメッセージに応答してＣＳＩ ＵＥと接続されたことを報知するＩＳＵＰ ＣＯＮメッセージをＭＧＣＦ／ＭＧＷに伝達する。段階Ｓ５２６において、ＭＧＣＦ／ＭＧＷはＩＳＵＰ ＣＯＮメッセージをＳＩＰに従う応答である２００ ＯＫメッセージ形態に変換してＳ−ＣＳＣＦ１に伝送する。段階Ｓ５２８及び段階Ｓ５３０において、２００ ＯＫメッセージはＳ−ＣＳＣＦ１及びＳ−ＣＳＣＦ２を経てＩＭＳ ＵＥに伝達される。ＩＭＳ ＵＥが２００ ＯＫメッセージを受信した後、段階Ｓ５３２においてＩＭＳ ＵＥとＭＧＣＦ／ＭＧＷとの間にはＶｏＩＰ音声ベアラーが作られ、段階Ｓ５３４においてＣＳＩ ＵＥとＭＧＣＦ／ＭＧＷとの間にはＣＳドメインを介してＣＳ音声ベアラーが開く。よって、ＩＭＳ ＵＥはＶｏＩＰ音声ベアラー及びＣＳ音声ベアラーを介して、ＣＳＩ ＵＥと音声通話を遂行することになる。ＶｏＩＰ音声ベアラーの音声パケットとＣＳ音声ベアラーの音声データとの間の変換はＭＧＷにより行われる。
【００４５】
図６は、本発明の第１の実施形態により、制御エンティティがＳ−ＣＳＣＦである場合、ＩＭＳ ＵＥが、ＩＭＳ発信及びＣＳＩ着信により音声とＭＳＲＰとの結合されたサービスを開始するための制御信号の流れを示す図である。
図６によれば、段階Ｓ６０１において、ＩＭＳ ＵＥがＣＳＩ ＵＥとの通信のために音声とＭＳＲＰとを含む結合されたサービスを要請するＩＮＶＩＴＥメッセージをＩＭＳ ＵＥを担当するＳ−ＣＳＣＦ２に伝送すれば、段階Ｓ６０２において、ＩＮＶＩＴＥメッセージは、Ｓ−ＣＳＣＦ２を介して、ＣＳＩ ＵＥを担当するＳ−ＣＳＣＦ１に伝達される。段階Ｓ６０３において、Ｓ−ＣＳＣＦ１は受信したＩＮＶＩＴＥメッセージが音声とＭＳＲＰともを要請していることを確認し、ＩＮＶＩＴＥメッセージが向かうＣＳＩ ＵＥに対し、ＣＳＩサービスが可能であることをＣＳＩ ＵＥの能力情報を介して確認すれば、ＩＮＶＩＴＥメッセージに含まれた音声通話関連部分とＭＳＲＰ関連部分とを分離して、それぞれの関連部分が含まれた２つのＩＮＶＩＴＥメッセージを生成する。
【００４６】
段階Ｓ６０３ａにおいて、Ｓ−ＣＳＣＦ１は、予め具備された着信ロジックに従って音声通話のためのＩＮＶＩＴＥメッセージがＣＳドメインにルーティングされるように処理する。段階Ｓ６０４において、音声通話のためのＩＮＶＩＴＥメッセージはＭＧＣＦ／ＭＧＷに伝送され、段階Ｓ６０５においてＭＧＣＦ／ＭＧＷはＳＩＰに従うＩＮＶＩＴＥメッセージをＣＳシグナリングプロトコルに従うＩＳＵＰ ＩＡＭに変換してＣＳドメインに伝達する。段階Ｓ６０６において、ＣＳドメインは、ＩＳＵＰ ＩＡＭに応答してＣＳＩ ＵＥがＩＭＳ ＵＥと通話するための無線ベアラーを設定できるように、ＳＳ７に従うＳＥＴＵＰメッセージをＲＡＮを介してＣＳＩ ＵＥに伝送する。段階Ｓ６０８において、ＣＳＩ ＵＥはＳＥＴＵＰメッセージに対する応答として無線ベアラーを設定した後、ＣＯＮＮＥＣＴメッセージをＣＳドメインに伝送し、段階Ｓ６０９において、ＣＳドメインはＣＯＮＮＥＣＴメッセージに応答してＣＳＩ ＵＥと接続されたことを報知するＩＳＵＰ ＣＯＮメッセージをＭＧＣＦ／ＭＧＷに伝達する。段階Ｓ６１０において、ＭＧＣＦ／ＭＧＷはＩＳＵＰ ＣＯＮメッセージをＳＩＰに従う応答である２００ ＯＫメッセージに変換してＳ−ＣＳＣＦ１に伝送する。
【００４７】
一方、段階Ｓ６０７において、Ｓ−ＣＳＣＦ１はＭＳＲＰ関連部分を含むＩＮＶＩＴＥメッセージを、ＣＳＩ ＵＥが属するＰＳドメイン及びＲＡＮを介してＣＳＩ ＵＥに伝達する。段階Ｓ６１１において、ＣＳＩ ＵＥはＭＳＲＰのためのＩＮＶＩＴＥメッセージに対する応答としてＭＳＲＰのためのセッションを開けた後、Ｓ−ＣＳＣＦ１に２００ ＯＫメッセージを伝送する。
【００４８】
ここで、音声関連部分を含むＩＮＶＩＴＥメッセージがＣＳＩ ＵＥに伝達されてＳ−ＣＳＣＦ１が応答を受信する段階(段階Ｓ６０３ａ〜段階Ｓ６０６及び段階Ｓ６０８〜段階Ｓ６１０)と、ＭＳＲＰ関連部分を含むＩＮＶＩＴＥメッセージがＣＳＩ ＵＥに伝達されてＳ−ＣＳＣＦ１が応答を受信する段階(段階Ｓ６０７及び段階Ｓ６１１)は、互いに独立的に、すなわち、並列に進行される。
【００４９】
２つのＩＮＶＩＴＥメッセージに対する２００ ＯＫメッセージを受信した後、段階Ｓ６１２において、Ｓ−ＣＳＣＦ１は、２００ ＯＫメッセージを結合して結合された２００ ＯＫメッセージを生成した後、段階Ｓ６１３及び段階Ｓ６１４において、結合された２００ ＯＫメッセージをＳ−ＣＳＣＦ２を介してＩＭＳ ＵＥに伝達する。ＩＭＳ ＵＥが音声及びＭＳＲＰのための２００ ＯＫメッセージを受信すれば、段階Ｓ６１６において、ＩＭＳ ＵＥとＭＧＣＦ／ＭＧＷとの間にはＶｏＩＰ音声ベアラーが作られ、段階Ｓ６１８において、ＣＳＩ ＵＥとＭＧＣＦ／ＭＧＷとの間にはＣＳ音声ベアラーが開く。また、段階Ｓ６２０において、ＣＳＩ ＵＥとＩＭＳ ＵＥとの間にはＭＳＲＰのためのユーザーベアラーが開く。よって、ＩＭＳ ＵＥは、ＶｏＩＰ音声ベアラー及びＣＳ音声ベアラーを介してＣＳＩ ＵＥと音声通話を遂行し、ユーザーベアラーを介してＣＳＩ ＵＥとパケットを送受信することになる。
【実施例２】
【００５０】
図７は、本発明の第２の実施形態により、ＣＳＩ ＡＳが制御エンティティとして動作する場合、Ｓ−ＣＳＣＦの動作を示す図である。
図７によれば、段階Ｓ７００において、Ｓ−ＣＳＣＦはＣＳＩ ＵＥをＣＳＩ ＡＳに登録する。段階Ｓ７０２において、Ｓ−ＣＳＣＦは、ＣＳＩ ＵＥに向かうＩＮＶＩＴＥメッセージを受信する。続いて、段階Ｓ７０４において、ＩＮＶＩＴＥメッセージが音声通話を要請するための部分、すなわち、音声通話関連部分を持っているか、及び、ＰｏＣサービスのように必ずＩＭＳドメインで処理されなければならないサービス関連部分がＩＮＶＩＴＥメッセージに含まれているかを判断する。ＩＮＶＩＴＥメッセージが音声通話関連部分を持っており、音声通話関連部分がＣＳドメインに伝達されても、ＩＮＶＩＴＥメッセージにより要求された全体サービスを提供するのに問題がない場合、段階Ｓ７０６において、Ｓ−ＣＳＣＦはＣＳＩ ＡＳにＩＮＶＩＴＥメッセージを伝達し、そうでない場合、段階Ｓ７０８においてＣＳＩ ＵＥにＩＮＶＩＴＥメッセージを伝達する。
【００５１】
図８Ａは、本発明の第２の実施形態により、制御エンティティがＣＳＩ ＡＳである場合、ＣＳＩ ＵＥをＣＳＩ ＡＳに登録するための制御信号の流れを示す図である。
図８Ａによれば、ＣＳＩ ＵＥは、段階Ｓ８００においてＲＥＧＩＳＴＥＲメッセージに“ｆｅａｔｕｒｅ ｔａｇ”として、ＣＳＩ ＵＥの能力情報を示す“＋ｇ.３ｇｐｐ.ｃｓｉ”を含ませてＳ−ＣＳＣＦ１に伝送する。Ｓ−ＣＳＣＦ１は、段階Ｓ８０２において、ＣＳＩ ＵＥに関する加入情報を保管しているＨＳＳ(Home Subscriber Server)からＣＳＩ ＵＥに対するユーザープロファイル(ｉＦＣを含む)をダウンロードする。ＨＳＳは、全ての加入者の加入情報とＩＭＳサービス提供関連データとを格納している主要データの格納場所である。本発明の実施形態におけるｉＦＣは、ＣＳＩ ＵＥのためのＳＩＰ要請及びＣＳＩ ＵＥからのＩＭＳ登録要請が、ＩＭＳドメイン内のＣＳＩ ＡＳに伝達されるようにするために適用される。
【００５２】
段階Ｓ８０４において、Ｓ−ＣＳＣＦ１は、登録に成功したことを示す応答である２００ ＯＫメッセージをＣＳＩ ＵＥに伝送する。段階Ｓ８０６において、Ｓ−ＣＳＣＦ１は、ダウンロードしたユーザープロファイルを検証(evaluation)した後、段階Ｓ８０８においてＣＳＩ ＡＳにＣＳＩ ＵＥからのＲＥＧＩＳＴＥＲメッセージを伝送してＣＳＩ ＡＳにＣＳＩ ＵＥを登録する。段階Ｓ８１０において、ＣＳＩ ＡＳは、ＲＥＧＩＳＴＥＲメッセージを伝送したＵＥがＣＳＩ ＵＥであることを認知し、ＣＳＩ ＵＥを登録する。ＣＳＩ ＡＳは、段階Ｓ８１２において、ＣＳＩ ＵＥの登録に成功したことを示す応答メッセージをＳ−ＣＳＣＦ１に伝送する。前述したように格納されたｉＦＣは、Ｓ−ＣＳＣＦ１に到達した、ＣＳＩ ＵＥに向かうＳＩＰメッセージをＣＳＩ ＡＳに伝達するか否かを判断するのに使用される。
【００５３】
図８Ｂは、本発明の第２の実施形態により、制御エンティティがＣＳＩ ＡＳである場合、ＩＭＳ ＵＥが音声通話を開始するためにＩＮＶＩＴＥメッセージを伝送する場合、ＩＭＳ発信及びＣＳＩ着信に対する制御信号の流れを示す図である。ここで、ＣＳＩ ＵＥを担当するＣＳドメイン、Ｓ−ＣＳＣＦ１、ＣＳＩ ＡＳ及びＭＧＣＦ／ＭＧＷは、ネットワーク＃１、すなわちＰＬＭＮ(Public Land Mobile Network)＃１を構成し、ＩＭＳ ＵＥを担当するＳ−ＣＳＣＦ２は、ネットワーク＃２、すなわちＰＬＭＮ＃２を構成する。このうち、Ｓ−ＣＳＣＦ１、ＣＳＩ ＡＳ及びＭＧＣＦ／ＭＧＷは、ＩＭＳコアネットワーク＃１に該当し、Ｓ−ＣＳＣＦ２はＩＭＳコアネットワーク＃２に該当する。
【００５４】
図８Ｂによれば、段階Ｓ８２０において、ＩＭＳ ＵＥがＣＳＩ ＵＥとの音声通話を要請するために、音声通話関連部分を含むＩＮＶＩＴＥメッセージをＩＭＳ ＵＥを担当するＳ−ＣＳＣＦ２に伝送すれば、段階Ｓ８２２において、ＩＮＶＩＴＥメッセージはＳ−ＣＳＣＦ２からＳ−ＣＳＣＦ１に伝達される。段階Ｓ８２４において、Ｓ−ＣＳＣＦ１はＩＮＶＩＴＥメッセージが音声通話を要請するための音声通話関連部分を持っていることを確認し、ＣＳＩ ＵＥが登録されたＣＳＩ ＡＳにＩＮＶＩＴＥメッセージを伝達する。段階Ｓ８２６において、ＣＳＩ ＡＳは予め具備された着信ロジックにより、前述したように受信したＩＮＶＩＴＥメッセージがＣＳドメインにルーティングされるように処理する。段階Ｓ８２８及び段階Ｓ８３０において、ＩＮＶＩＴＥメッセージはＳ−ＣＳＣＦ１を介してＭＧＣＦ／ＭＧＷに伝達され、段階Ｓ８３２において、ＭＧＣＦ／ＭＧＷはＳＩＰに従うＩＮＶＩＴＥメッセージをＩＳＵＰ ＩＡＭメッセージに変換してＣＳドメインに伝達する。図示していないが、ＣＳＩ ＡＳは、段階Ｓ８２８及び段階Ｓ８３０において、Ｓ−ＣＳＣＦ1を経ることなく、直接ＭＧＣＦ／ＭＧＷにＩＮＶＩＴＥメッセージを伝達することもできる。
【００５５】
段階Ｓ８３４において、ＣＳドメインは、ＩＳＵＰ ＩＡＭに応答してＣＳＩ ＵＥがＩＭＳ ＵＥと通話するための無線ベアラーを設定できるように、ＳＳ７に従うＳＥＴＵＰメッセージをＲＡＮを介してＣＳＩ ＵＥに伝送する。段階Ｓ８３６において、ＣＳＩ ＵＥはＳＥＴＵＰメッセージに対する応答として無線ベアラーを設定した後、ＣＯＮＮＥＣＴメッセージを伝送し、段階Ｓ８３８において、ＣＳドメインはＣＯＮＮＥＣＴメッセージに応答してＣＳＩ ＵＥと接続されたことを報知するＩＳＵＰ ＣＯＮメッセージをＭＧＣＦ／ＭＧＷに伝達する。段階Ｓ８４０において、ＭＧＣＦ／ＭＧＷはＩＳＵＰ ＣＯＮメッセージをＳＩＰに従う２００ ＯＫメッセージに変換してＳ−ＣＳＣＦ１に伝送する。前述したように、段階Ｓ８２８及び段階Ｓ８３０において、ＩＮＶＩＴＥメッセージがＳ−ＣＳＣＦ１を経ない場合、段階Ｓ８４０及び段階Ｓ８４２において、ＭＧＣＦ／ＭＧＷではＣＳＩ ＡＳに２００ ＯＫメッセージを直接伝送する。
【００５６】
段階Ｓ８４２及び段階Ｓ８４４において、２００ ＯＫメッセージはＣＳＩ ＡＳを介して更にＳ−ＣＳＣＦ１に伝送され、段階Ｓ８４６及び段階Ｓ８４８において、Ｓ−ＣＳＣＦ１は２００ ＯＫメッセージをＳ−ＣＳＣＦ２を介してＩＭＳ ＵＥに伝達する。ＩＭＳ ＵＥが２００ ＯＫメッセージを受信すれば、段階Ｓ８５０において、ＩＭＳ ＵＥとＭＧＣＦ／ＭＧＷとの間にはＶｏＩＰ音声ベアラーが作られ、段階Ｓ８５２において、ＣＳＩ ＵＥとＭＧＣＦ／ＭＧＷとの間にはＣＳ音声ベアラーが作られる。ＩＭＳ ＵＥは、ＶｏＩＰ音声ベアラー及びＣＳ音声ベアラーを介してＣＳＩ ＵＥとの間に音声通話を遂行することになる。
【００５７】
図９は、本発明の第２の実施形態により、制御エンティティがＣＳＩ ＡＳである場合、ＩＭＳ ＵＥが、ＩＭＳ発信及びＣＳＩ着信により音声とＭＳＲＰとの結合されたサービスを開始するための制御信号の流れを示す図である。
図９によれば、段階Ｓ９０１において、ＩＭＳ ＵＥがＣＳＩ ＵＥとの通信のために音声通話関連部分とＭＳＲＰ関連部分ともを含むＩＮＶＩＴＥメッセージを、ＩＭＳ ＵＥを担当するＳ−ＣＳＣＦ２に伝送すれば、段階Ｓ９０２において、ＩＮＶＩＴＥメッセージはＳ−ＣＳＣＦ２からＣＳＩ ＵＥを担当するＳ−ＣＳＣＦ１に伝達される。段階Ｓ９０３において、Ｓ−ＣＳＣＦ１はＩＮＶＩＴＥメッセージが音声通話関連部分とＭＳＲＰ関連部分とを含んでいることを確認し、ＣＳＩ ＡＳにＩＮＶＩＴＥメッセージを伝達する。段階Ｓ９０４において、ＣＳＩ ＡＳはＩＮＶＩＴＥメッセージに音声通話関連部分が含まれていることを確認し、ＩＮＶＩＴＥメッセージの音声通話関連部分とＭＳＲＰ関連部分とを分離して、それぞれの関連部分が含まれた２つのＩＮＶＩＴＥメッセージを生成する。
【００５８】
以後、段階Ｓ９０４ａにおいて、ＣＳＩ ＡＳは、予め具備された着信ロジックにより、音声通話関連部分を含むＩＮＶＩＴＥメッセージがＣＳドメインにルーティングされるように処理する。段階Ｓ９０５及び段階Ｓ９０６において、音声通話のためのＩＮＶＩＴＥメッセージはＳ−ＣＳＣＦ１を介してＭＧＣＦ／ＭＧＷに伝送され、段階Ｓ９０７において、ＭＧＣＦ／ＭＧＷはＳＩＰに従うＩＮＶＩＴＥメッセージをＩＳＵＰ ＩＡＭに変換してＣＳドメインに伝達する。図示していないが、ＣＳＩ ＡＳは、段階Ｓ９０５及び段階Ｓ９０６において、音声通話のためのＩＮＶＩＴＥメッセージをＳ−ＣＳＣＦ１を経ることなく、ＭＧＣＦ／ＭＧＷに直接伝達することもできる。
【００５９】
段階Ｓ９０８において、ＣＳドメインは、ＩＳＵＰ ＩＡＭに応答してＳＳ７に従うＳＥＴＵＰメッセージをＲＡＮを介してＣＳＩ ＵＥに伝送する。段階Ｓ９１１において、ＣＳＩ ＵＥはＳＥＴＵＰメッセージに対する応答としてＩＭＳ ＵＥと通話するための無線ベアラーを設定した後、ＣＯＮＮＥＣＴメッセージを伝送し、段階Ｓ９１２において、ＣＳドメインはＣＯＮＮＥＣＴメッセージに応答してＣＳＩ ＵＥと接続されたことを報知するＩＳＵＰ ＣＯＮメッセージをＭＧＣＦ／ＭＧＷに伝達する。段階Ｓ９１３において、ＭＧＣＦ／ＭＧＷはＩＳＵＰ ＣＯＮメッセージをＳＩＰに従う２００ ＯＫメッセージに変換してＳ−ＣＳＣＦ１に伝達し、段階Ｓ９１４において、２００ ＯＫメッセージは音声通話関連部分を含むＩＮＶＩＴＥメッセージに対する応答としてＣＳＩ ＡＳに伝達される。前述したように、段階Ｓ９０５及び段階Ｓ９０６において、ＩＮＶＩＴＥメッセージがＳ−ＣＳＣＦ1を経ない場合、段階Ｓ９１３及び段階Ｓ９１４において、ＭＧＣＦ／ＭＧＷではＣＳＩ ＡＳに２００ ＯＫメッセージを直接伝送する。
【００６０】
一方、段階Ｓ９０４において、生成されたＭＳＲＰ関連部分を含むＩＮＶＩＴＥメッセージは、段階Ｓ９０９においてＳ−ＣＳＣＦ１に伝達され、段階Ｓ９１０において、Ｓ−ＣＳＣＦ１はＭＳＲＰ関連部分を含むＩＮＶＩＴＥメッセージを、ＣＳＩ ＵＥが属するＰＳドメイン及びＲＡＮを介してＣＳＩ ＵＥに伝達する。段階Ｓ９１５において、ＣＳＩ ＵＥはＩＮＶＩＴＥメッセージに対する応答としてＭＳＲＰのためのセッションを開けた後、Ｓ−ＣＳＣＦ１に２００ ＯＫメッセージを伝送し、段階Ｓ９１６において２００ ＯＫメッセージはＣＳＩ ＡＳに伝達される。
【００６１】
ここで、音声関連部分を含むＩＮＶＩＴＥメッセージがＣＳＩ ＵＥに伝達されてＣＳＩ ＡＳが応答を受信する段階(段階Ｓ９０５〜段階Ｓ９０８及び段階Ｓ９１１〜段階Ｓ９１４)と、ＭＳＲＰ関連部分を含むＩＮＶＩＴＥメッセージがＣＳＩ ＵＥに伝達されてＣＳＩ ＡＳが応答を受信する段階(段階Ｓ９０９、段階Ｓ９１０、段階Ｓ９１５及び段階Ｓ９１６)は、独立的に進行される。
【００６２】
段階Ｓ９１７において、ＣＳＩ ＡＳは２００ ＯＫメッセージを結合して結合された２００ ＯＫメッセージを生成した後、段階Ｓ９１８において結合された２００ ＯＫメッセージをＳ−ＣＳＣＦ１に伝送し、段階Ｓ９１９及び段階Ｓ９２０において、結合された２００ ＯＫメッセージはＳ−ＣＳＣＦ２を介してＩＭＳ ＵＥに伝達される。ＩＭＳ ＵＥが音声及びＭＳＲＰのための２００ ＯＫメッセージを受信すれば、段階Ｓ９２１において、ＩＭＳ ＵＥとＭＧＣＦ／ＭＧＷとの間にはＶｏＩＰ音声ベアラーが作られ、段階Ｓ９２２において、ＣＳＩ ＵＥとＭＧＣＦ／ＭＧＷとの間にはＣＳ音声ベアラーが開く。また、段階Ｓ９２３において、ＣＳＩ ＵＥとＩＭＳ ＵＥとの間にはＭＳＲＰのためのユーザーベアラーが開く。よって、ＩＭＳ ＵＥは、ＶｏＩＰ音声ベアラー及びＣＳ音声ベアラーを介してＣＳＩ ＵＥと音声通話を遂行し、ユーザーベアラーを介してＣＳＩ ＵＥとパケットを送受信することになる。
【００６３】
図１０は、本発明の実施形態により、結合されたサービスを使用するＣＳＩ ＵＥが、音声サービスと他のマルチメディアサービス(例えば、ＭＳＲＰ)とを順に終了する動作を示す図である。
図１０によれば、ＩＭＳ ＵＥは、ＶｏＩＰ音声ベアラー１０３１及びＣＳ音声ベアラー１０３０を介してＣＳＩ ＵＥと音声通話を遂行し、ユーザーベアラー１０３２を介してＣＳＩ ＵＥとパケットを送受信する。通話の遂行中に、段階Ｓ１００１において、ＣＳＩ ＵＥは、音声通話を終了するためにＲＡＮを介してＣＳドメインにＳＳ７に従うＤＩＳＣＯＮＮＥＣＴメッセージを伝送して、ＣＳ音声ベアラー１０３０を解除する。段階Ｓ１００２において、ＣＳドメインは、ＤＩＳＣＯＮＮＥＣＴメッセージに応答してＭＧＣＦ／ＭＧＷにＩＳＵＰ ＲＥＬＥＡＳＥメッセージを伝送し、段階Ｓ１００３において、ＭＧＣＦ／ＭＧＷはＩＳＵＰ ＲＥＬＥＡＳＥメッセージに応答してＣＳＩ ＵＥを担当するＳ−ＣＳＣＦ１にＳＩＰに従うＢＹＥメッセージを伝送する。段階Ｓ１００４において、Ｓ−ＣＳＣＦ１はＣＳＩ ＡＳにＢＹＥメッセージを伝達する。段階Ｓ１００５において、ＣＳＩ ＡＳは音声ベアラー１０３１に関連した音声セッションをなくすために、ＭＯＤＩＦＹメッセージを生成してＳ−ＣＳＣＦ１に伝送し、段階Ｓ１００６において、Ｓ−ＣＳＣＦ１はＭＯＤＩＦＹメッセージを受信してＩＭＳ ＵＥを担当するＳ−ＣＳＣＦ２に伝達し、段階Ｓ１００７において、ＭＯＤＩＦＹメッセージはＳ−ＣＳＣＦ２からＩＭＳ ＵＥに伝達される。段階Ｓ１００５〜段階Ｓ１００７において、ＭＯＤＩＦＹメッセージの代りにＩＮＶＩＴＥメッセージ又はＵＰＤＡＴＥメッセージが使用されることができる。ＩＮＶＩＴＥメッセージ又はＵＰＤＡＴＥメッセージは、段階Ｓ１００５〜段階Ｓ１００７に示すＭＯＤＩＦＹメッセージと同様な役割を遂行する。
【００６４】
段階Ｓ１００８において、ＩＭＳ ＵＥはＭＯＤＩＦＹメッセージに対する応答としてＶｏＩＰ音声ベアラー１０３１を解除した後、Ｓ−ＣＳＣＦ２に２００ ＯＫメッセージを伝送する。段階Ｓ１００９において、Ｓ−ＣＳＣＦ２は２００ ＯＫメッセージをＳ−ＣＳＣＦ１に伝達し、段階Ｓ１０１０において、Ｓ−ＣＳＣＦ１はＣＳＩ ＡＳに２００ ＯＫメッセージを伝達する。段階Ｓ１０１１において、ＣＳＩ ＡＳはＳ−ＣＳＣＦ１に段階Ｓ１００４のＢＹＥメッセージに対する応答として２００ ＯＫメッセージを伝送し、段階Ｓ１０１２において、Ｓ−ＣＳＣＦ１は段階Ｓ１００３のＢＹＥメッセージに対する応答として２００ ＯＫメッセージをＭＧＣＦ／ＭＧＷに伝送する。段階Ｓ１０１３において、ＭＧＣＦ／ＭＧＷはＣＳドメインに音声ベアラー１０３０、１０３１が解除されたことを報知するＩＳＵＰ ＲＥＬＥＡＳＥ ＣＯＭＰＬＥＴＥメッセージを伝送する。これにより、音声通話のための音声ベアラー１０３０、１０３１は切り、段階Ｓ１０１４のようにマルチメディアサービスのためのユーザーベアラー１０３２だけが残ることになる。
【００６５】
段階Ｓ１０１５において、ＣＳＩ ＵＥはＭＳＲＰに従うマルチメディアサービスを終了するために、Ｓ−ＣＳＣＦ１にＢＹＥメッセージを伝送する。段階Ｓ１０１６において、Ｓ−ＣＳＣＦ１はＣＳＩ ＡＳにＢＹＥメッセージを伝達し、段階Ｓ１０１７及び段階Ｓ１０１８において、ＣＳＩ ＡＳはＢＹＥメッセージを更にＳ−ＣＳＣＦ１を介してＳ−ＣＳＣＦ２に伝達する。段階Ｓ１０１９において、Ｓ−ＣＳＣＦ２はＢＹＥメッセージを更にＩＭＳ ＵＥに伝達する。段階Ｓ１０２０において、ＩＭＳ ＵＥはＢＹＥメッセージに対する応答としてユーザーベアラー１０３２を解除した後、２００ ＯＫメッセージを伝送し、段階Ｓ１０２０〜段階Ｓ１０２２において、２００ ＯＫメッセージはＳ−ＣＳＣＦ２及びＳ−ＣＳＣＦ１を経てＣＳＩ ＡＳに伝送する。段階Ｓ１０２３において、ＣＳＩ ＡＳは段階Ｓ１０１６のＢＹＥメッセージに対する応答としてＩＭＳ ＵＥがマルチメディアサービスのためのユーザーベアラー１０３２を解除したことを報知する２００ ＯＫメッセージをＳ−ＣＳＣＦ１に伝達する。段階Ｓ１０２４において、２００ ＯＫメッセージはＳ−ＣＳＣＦ１によりＣＳＩ ＵＥに伝達される。これにより、ＣＳＩ ＵＥとＩＭＳ ＵＥとの間のマルチメディアサービスは終了することになる。
【００６６】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【００６７】
【図１】ＣＳＩサービスを支援する移動通信ネットワークの構造を簡略に示す図である。
【図２】ＣＳＩ ＵＥ間の制御シグナリングの連結構造を示す図である。
【図３】本発明の実施形態によるＣＳＩ ＵＥとＩＭＳ ＵＥとの間の制御信号の連結構造を示す図である。
【図４Ａ】本発明の実施形態により、ＩＭＳドメイン内でＩＭＳ ＵＥとＣＳＩ ＵＥとの間の制御信号を管理する制御エンティティの動作を示すフローチャートである。
【図４Ｂ】本発明の実施形態により、ＩＭＳドメイン内でＩＭＳ ＵＥとＣＳＩ ＵＥとの間の制御信号を管理する制御エンティティの動作を示すフローチャートである。
【図５Ａ】本発明の第１の実施形態により、制御エンティティがＳ−ＣＳＣＦである場合、ＣＳＩ ＵＥをＳ−ＣＳＣＦに登録するための制御信号の流れを示す図である。
【図５Ｂ】本発明の第１の実施形態により、制御エンティティがＳ−ＣＳＣＦである場合、ＣＳＩ ＵＥをＳ−ＣＳＣＦに登録するための制御信号の流れを示す図である。
【図６】本発明の第１の実施形態により、制御エンティティがＳ−ＣＳＣＦである場合、ＩＭＳ ＵＥが結合されたサービスを開始するための制御信号の流れを示す図である。
【図７】本発明の第２の実施形態により、ＩＭＳドメイン内でＣＳＩ ＡＳがＩＭＳ ＵＥとＣＳＩ ＵＥとの間の制御信号を管理する場合、Ｓ−ＣＳＣＦの動作を示すフローチャートである。
【図８Ａ】本発明の第２の実施形態により、制御エンティティがＣＳＩ ＡＳである場合、ＣＳＩ ＵＥをＣＳＩ ＡＳに登録するための制御信号の流れを示す図である。
【図８Ｂ】本発明の第２の実施形態により、制御エンティティがＣＳＩ ＡＳである場合、ＩＭＳ ＵＥが音声通話を開始するためにＩＮＶＩＴＥメッセージを伝送する場合制御信号の流れを示す図である。
【図９】本発明の第２の実施形態により、制御エンティティがＣＳＩ ＡＳである場合、ＩＭＳ ＵＥが結合されたサービスを開始するための制御信号の流れを示す図である。
【図１０】本発明の実施形態により、結合されたサービスを使用するＣＳＩ ＵＥが音声サービスと他のマルチメディアサービスとを終了する動作を示す図である。
【符号の説明】
【００６８】
３０２  ネットワーク＃１
３０４  ＣＳＩ ＵＥ
３０６  ＰＳドメイン＃１
３０８  ＣＳドメイン＃１
３１０  ＩＭＳドメイン＃１
３１２  ＩＭＳドメイン＃１
３１６  ＩＭＳ ＵＥ
３１８  ＩＰ−ＣＡＮ
３２０  ＩＭＳドメイン＃２
３３０  制御信号
３３２  制御信号
３３４  制御信号
【図１】
0004455552.tif 000002
【図２】
0004455552.tif 000003
【図３】
0004455552.tif 000004
【図４Ａ】
0004455552.tif 000005
【図４Ｂ】
0004455552.tif 000006
【図５Ａ】
0004455552.tif 000007
【図５Ｂ】
0004455552.tif 000008
【図６】
0004455552.tif 000009
【図７】
0004455552.tif 000010
【図８Ａ】
0004455552.tif 000011
【図８Ｂ】
0004455552.tif 000012
【図９】
0004455552.tif 000013
【図１０】
0004455552.tif 000014